(57)【要約】【課題】隣接する太陽光パネルのフレーム部分を、隣接する太陽光パネル間の支柱に取り付けた押さえ部材により押圧固定する取付器具として、隣接する太陽光パネルの間隔のばらつきを押さえ部材の回転により、押さえ部材が太陽光パネルの受光面を遮るのを回避しつつ吸収し、太陽光パネルの取付に十分な押さえ力でフレームを押圧することができる取付器具を得る。【解決手段】取付器具１００において、押さえ部材１１０の回転中心Ｃｒを通る複数の直線のうちの第１の直線が押さえ部材の外周と交差する第１の一対の点の間の距離と、複数の直線のうちの第２の直線が押さえ部材の外周と交差する第２の一対の点の間の距離とが異なる。【選択図】図３
2014202020.tif 000002
【特許請求の範囲】
【請求項１】
太陽光パネルのフレームを支持体に取り付けるための取付器具であって、該支持体は、該フレームを支持するためのものであり、
該取付器具は、
支柱を有する器具本体であって、該支持体に固定される器具本体と、
該器具本体の支柱に回転可能に装着される押さえ部材であって、該押さえ部材の回転により該押さえ部材が該支柱の少なくとも片側に配置された該フレームに重なる状態で、該支柱の少なくとも片側に配置された該フレームを該器具本体に押圧するための押さえ部材と
を備え、
前記押さえ部材の回転中心を通る複数の直線のうちの第１の直線が該押さえ部材の外周と交差する第１の一対の点の間の距離と、該複数の直線のうちの第２の直線が該押さえ部材の外周と交差する第２の一対の点の間の距離とが異なる、取付器具。
【請求項２】
前記フレームは、前記支柱の両側に配置されており、
該押さえ部材は、
該支柱の一方側のフレームを押圧する第１の部分と、
該支柱の他方側のフレームを押圧する第２の部分と
を有し、
該第１の部分および該第２の部分のそれぞれにおいて、前記第１の一対の点のうちの一方の点を通る外周の辺あるいは接線と前記第２の一対の点のうちの一方の点を通る該外周の辺あるいは接線とが、互いに隣接し、かつ、鈍角をなしている、請求項１に記載の取付器具。
【請求項３】
前記フレームは、前記支柱の片側にのみ配置されており、
該押さえ部材は、
該支柱の一方側のフレームを押圧する押圧部分を含む板状本体と、
該板状本体の下側に該支柱の他方側に位置するように設けられた、該フレームの厚みに相当する高さを有する側壁と
を有し、
該押圧部分において、前記第１の一対の点のうちの一方の点を通る外周の辺あるいは接線と前記第２の一対の点のうちの一方の点を通る該外周の辺あるいは接線とが、互いに隣接し、かつ、鈍角をなしている、請求項１に記載の取付器具。
【請求項４】
前記押さえ部材は、前記フレームと対向する面を有し、
該面の形状は、多角形であり、
該多角形は、
互いに対向し、かつ互いに平行な第１の一対の辺と、
互いに対向し、かつ互いに平行な第２の一対の辺と
を有し、
該第１の一対の辺の間の距離と該第２の一対の辺の間の距離とが異なる、請求項１から請求項３のうちのいずれか１項に記載の取付器具。
【請求項５】
前記押さえ部材は、前記フレームと対向する面を有し、
該面の形状は、
少なくとも一部の形状が曲線により定義された形状である、請求項１から請求項３のいずれか１項に記載の取付器具。
【請求項６】
前記押さえ部材の中央部には、前記器具本体の支柱が挿入される長孔が形成されている、請求項１から請求項５のいずれか１項に記載の取付器具。
【請求項７】
前記押さえ部材は、該支柱の少なくとも片側に配置された前記フレームに当接することにより、該押さえ部材の回転を規制するためのガイド部材を有する、請求項１から請求項６のいずれか１項に記載の取付器具。
【発明の詳細な説明】
【技術分野】
【０００１】
本発明は、取付器具に関し、特に、複数の太陽電池セルを搭載した太陽光パネルのフレームを例えば金属屋根などの支持体に取り付けるための取付器具に関する。
【背景技術】
【０００２】
従来から、太陽光発電システムには太陽光パネルを屋根に設置するものがあり、その設置方法には、取付金具を用いて太陽光パネルを屋根上に直付けする直付け工法や、屋根上に固定したラック（棚）に太陽光パネルを取り付けるラック工法がある。
【０００３】
ここで、特に直付け方法は、太陽光パネルを屋根で直接支持するので、太陽光パネルを支持するラックなどの部材が不要であり、経済的な設置方法である。
【０００４】
以下、直付け工法により太陽光パネルを設置された従来の太陽光発電システムについて説明する。
【０００５】
図１０は、太陽光パネルをハゼ式折板屋根に取り付けた太陽光発電システムを示す。
【０００６】
ここで、ハゼ式折板屋根Ｒは、図１０（ｃ）に示すように、金属薄板の機械加工により形成した断面略Ｖ字型の長尺屋根材Ｌｍの辺同士を『ハゼ締め』とよばれるカシメ加工により接合してなる構造を有する。このハゼ式折板屋根Ｒの表面は、線状凹部Ｐａあるいは線状凸部Ｐｂが繰り返し配置された波板形状となっており、ハゼ式折板屋根Ｒは、線状凹部Ｐａが雨水の流路となるように傾斜させて設置される。このハゼ式折板屋根Ｒの線状凸部Ｐｂの上面には、カシメ加工で形成された強度のある線状接合部（以下ハゼ部という。）Ｒｃが形成されている。
【０００７】
直付け工法では、このようなハゼ式折板屋根Ｒの傾斜方向（雨水の流れる方向）に対して太陽光パネルＳの長手方向が直交する向きに設置する横置きの場合（図１０（ａ））と、ハゼ式折板屋根Ｒの傾斜方向（雨水の流れる方向）に対して太陽光パネルＳの長手方向が平行になる向きに設置する縦置きの場合（図１０（ｂ））とがある。なお、図中、２００ａは横置きタイプの太陽光発電システムであり、２００ｂは縦置きタイプの太陽光発電システムである。
【０００８】
いずれの場合も設置する手順は同じであるので、以下、縦置きの場合（図１０（ｂ））の直付け工法を具体的に説明する。
【０００９】
図１１は、図１０（ｂ）のＢ部分を拡大して、太陽光パネルとハゼ式折板屋根のハゼ部Ｒｃとの位置関係を示し、図１２は、このソーラー取付金具を説明する図であり、図１２（ａ）は、図１１のＣ部分を拡大して、太陽光パネルＳをハゼ部折板屋根に取り付けるソーラー取付金具の構造を示している。図１２（ｂ）および図１２（ｃ）は、ソーラー取付金具の押さえ部材およびパネル載置円板を示している。
【００１０】
太陽光パネルＳは、行列状に配列された複数の太陽電池セルを含む長方形のパネル本体Ｓｐｂと、このパネル本体Ｓｐｂを収容して保持する保持フレームＳｐｆ（以下、単にフレームともいう。）とを有する。パネル本体Ｓｐｂは、複数の太陽電池セルが配列された、光電変換が行われる受光部Ｓｐｂ１と、受光部Ｓｐｂ１の外周に沿って設けられた、光電変換が行われない外周領域Ｓｐｂ２とを有する。外周領域Ｓｐｂ２は、フレームＳｐｆと受光部Ｓｐｂ１との間の隙間領域となっている。縦置きの場合は、保持フレームＳｐｆのパネル本体長辺側部分をハゼ式折板屋根Ｒのハゼ部Ｒｃに位置合わせし、ソーラー取付金具２００により図１１に示すように太陽光パネルの保持フレームＳｐｆをハゼ部Ｒｃに固定する。
【００１１】
以下具体的に説明する。
【００１２】
ここで用いるソーラー取付金具２００は、ハゼ式折板屋根Ｒのハゼ部Ｒｃに固定される金具本体２３０と、この金具本体２３０の上面部から突出するボルト部材２２１に装着されて太陽光パネルを載置するパネル載置円板２２０と、パネル載置円板２２０上に載置された太陽光パネルＳの保持フレームＳｐｆを押圧する押さえ金具２１０とを有する。パネル載置円板２２０は、ボルト部材２２１を挿入するボルト挿入孔２２０ａを有し、押さえ金具２１０は、長方形形状の平板状本体２１０ａと、平板状本体２１０ａの両短辺中央部に形成された折り返し部（フランジ部）２１０ｂとを有している。平板状本体２１０ａの中央部には、ボルト部材２２１を挿入するボルト挿入孔２１０ｃが形成されている。
【００１３】
次に太陽光パネルをハゼ式折板屋根に直付する方法について説明する。
【００１４】
太陽光パネルＳを設置するハゼ式折板屋根Ｒの領域全面に渡ってソーラー取付金具２００の金具本体２３０をハゼ部Ｒｃに取り付ける（図１２参照）。このとき、金具本体２３０は、ボルト部材２２１にパネル載置円板２２０を装着しておく。なお、ここでは、金具本体の取付ピッチＰｆはハゼ式折板屋根Ｒにおけるハゼ部ＲｃのピッチＰｒｃの２倍である（図１１参照）。
【００１５】
次に、太陽光パネルＳが隣接する金具本体２３０の間に位置するように、金具本体２３０に装着したパネル載置円板２２０上に太陽光パネルＳの保持フレームＳｐｆを載置する。その後、隣接する太陽光パネルＳの間で金具本体２３０の上面部から突出しているボルト部材２２１に押さえ金具２１０を装着し、さらにボルト部材２２１にナット部材２２２を装着して締め付けることにより、押さえ金具２１０により太陽光パネルＳの保持フレームＳｐｆを金具本体２３０に固定する（図１１参照）。
【００１６】
このようにして太陽光パネルＳの保持フレームＳｐｆを押さえ金具２１０により金具本体２３０に押圧固定することで、ソーラー取付金具２００を用いて太陽光パネルＳをハゼ式折板屋根Ｒに取り付けることができる（図１０（ｂ）参照）。
【００１７】
なお、特許文献１には、図１２に示す取付金具２００と同様に、太陽光パネルＳの支持体である、屋根上のＣ型鋼に取り付けられた固定部材の上面部から上方に突出したボルト部材に押さえ板を取り付けて、この押さえ部材と固定部材とにより太陽光パネルを挟み込んで固定する太陽光パネルの設置具が開示されている。
【先行技術文献】
【特許文献】
【００１８】
【特許文献１】特開平８−３１２０８８号公報
【発明の概要】
【発明が解決しようとする課題】
【００１９】
ところが、直付け工法で太陽光パネルを縦置きする場合、ソーラー取付金具の取付ピッチＰｆがハゼ式折板屋根Ｒにおけるハゼ部ＲｃのピッチＰｒｃにより決まるため、ソーラー取付金具２００の取付ピッチＰｆがハゼ部Ｒｃのピッチ誤差の影響を受け、隣接する太陽光パネル間の隙間がばらつくこととなる。
【００２０】
図１３はこのような隣接する太陽光パネル間の間隙のばらつきを示している。
【００２１】
例えば、隣接する太陽光パネルＳの間隙Ｄｐが設計値Ｄａどおりである正常な取付状態（図１３（ａ）、（ｄ））では、押さえ金具２１０により保持フレームＳｐｆを押圧固定することができる。
【００２２】
一方、隣接する太陽光パネルＳの間隙Ｄｐが設計値（Ｄａ）より小さい値（Ｄｂ）になった場合（図１３（ｂ）、（ｅ））、取付金具２１０の折り返し部２１０ｂが太陽光パネルＳの間の隙間に入らず、取付金具２１０を装着できないことがある。
【００２３】
逆に、隣接する太陽光パネルＳの間隙Ｄｐが設計値（Ｄａ）より大きい値（Ｄｃ）になった場合（図１３（ｃ）、（ｆ））、押さえ金具２１０の幅が足りず、保持フレームを押圧固定することができない。
【００２４】
短辺が９７７ｍｍ程度、長辺が１２５７ｍｍ程度の太陽光パネルの施工事例では、取付ピッチＰｆの誤差は−５ｍｍから＋２０ｍｍの範囲であった。
【００２５】
また、直付け工法で太陽光パネルを横置きする場合、施工時の取付誤差による隣接する太陽光パネル間の隙間のばらつきにより、縦置きの場合と同様な問題が生ずる。
【００２６】
本発明は、上記のような問題点を解決するためになされたものであり、隣接する太陽光パネルの間隔のばらつきを、太陽光パネルのフレームを器具本体に押圧するための押さえ部材の回転により吸収することができ、これにより、隣接する太陽光パネルの間隔がばらついてもこれらの太陽光パネルのフレームを支持体に固定することができる取付器具を実現することを目的とする。
【課題を解決するための手段】
【００２７】
本発明に係る取付器具は、太陽光パネルのフレームを支持体に取り付けるための取付器具であって、該支持体は、該フレームを支持するためのものであり、該取付器具は、支柱を有する器具本体であって、該支持体に固定される器具本体と、該器具本体の支柱に回転可能に装着される押さえ部材であって、該押さえ部材の回転により該押さえ部材が該支柱の少なくとも片側に配置された該フレームに重なる状態で、該支柱の少なくとも片側に配置された該フレームを該器具本体に押圧するための押さえ部材とを備え、前記押さえ部材の回転中心を通る複数の直線のうちの第１の直線が該押さえ部材の外周と交差する第１の一対の点の間の距離と、該複数の直線のうちの第２の直線が該押さえ部材の外周と交差する第２の一対の点の間の距離とが異なるものであり、そのことにより上記目的が達成される。
【００２８】
本発明は、上記取付器具において、前記フレームは、前記支柱の両側に配置されており、該押さえ部材は、該支柱の一方側のフレームを押圧する第１の部分と、該支柱の他方側のフレームを押圧する第２の部分とを有し、該第１の部分および該第２の部分のそれぞれにおいて、前記第１の一対の点のうちの一方の点を通る外周の辺あるいは接線と前記第２の一対の点のうちの一方の点を通る該外周の辺あるいは接線とが、互いに隣接し、かつ、鈍角をなしていることが好ましい。
【００２９】
本発明は、上記取付器具において、前記フレームは、前記支柱の片側にのみ配置されており、該押さえ部材は、該支柱の一方側のフレームを押圧する押圧部分を含む板状本体と、該板状本体の下側に該支柱の他方側に位置するように設けられた、該フレームの厚みに相当する高さを有する側壁とを有し、該押圧部分において、前記第１の一対の点のうちの一方の点を通る外周の辺あるいは接線と前記第２の一対の点のうちの一方の点を通る該外周の辺あるいは接線とが、互いに隣接し、かつ、鈍角をなしていることが好ましい。
【００３０】
本発明は、上記取付器具において、前記押さえ部材は、前記フレームと対向する面を有し、該面の形状は、多角形であり、該多角形は、互いに対向し、かつ互いに平行な第１の一対の辺と、互いに対向し、かつ互いに平行な第２の一対の辺とを有し、該第１の一対の辺の間の距離と該第２の一対の辺の間の距離とが異なることが好ましい。
【００３１】
本発明は、上記取付器具において、前記押さえ部材は、前記フレームと対向する面を有し、該面の形状は、少なくとも一部の形状が曲線により定義された形状であることが好ましい。
【００３２】
本発明は、上記取付器具において、前記押さえ部材の中央部には、前記器具本体の支柱が挿入される長孔が形成されていることが好ましい。
【００３３】
本発明は、上記取付器具において、前記押さえ部材は、該支柱の少なくとも片側に配置された前記フレームに当接することにより、該押さえ部材の回転を規制するためのガイド部材を有することが好ましい。
【発明の効果】
【００３４】
本発明によれば、太陽光パネルを支持体に取り付けるための取付器具において、隣接する太陽光パネルの間隔のばらつきを、太陽光パネルのフレームを押圧固定する押さえ部材の回転により吸収することができ、これにより、隣接する太陽光パネルの間隔がばらついてもこれらの太陽光パネルを押さえ部材により支持体に押圧固定することができる取付器具を実現することができる。
【図面の簡単な説明】
【００３５】
【図１】図１は、本発明の実施形態１による取付器具を説明する図であり、取付器具の全体構成（図１（ａ））、この取付器具の押さえ部材（図１（ｂ））、この取付器具のパネル載置板（図１（ｃ））、この取付器具の使用方法（図１（ｄ））を示している。
【図２】図２は、本発明の実施形態１による取付器具の器具本体を説明する図であり、この器具本体の正面図（図２（ａ））、側面図（図２（ｂ））および断面図（図２（ｃ））を示している。
【図３】図３は、本発明の実施形態１による取付器具により、隣接する太陽光パネル間の距離（パネル間距離）のばらつきを吸収する方法を説明する図であり、パネル間距離に応じて３段階に押さえ部材の角度を変更する方法（図３（ａ）〜図３（ｃ））、およびこの押さえ部材の形状（図３（ｄ））を示している。
【図４】図４は、本発明の実施形態２による取付器具を説明する図であり、取付器具の全体構成（図４（ａ））、この取付器具の押さえ部材（図４（ｂ））、この取付器具の押さえ部材の他の構成（図４（ｃ））、この取付器具の使用方法（図４（ｄ））を示している。
【図５】図５は、本発明の実施形態２による取付器具により、隣接する太陽光パネル間の距離（パネル間距離）のばらつきを吸収する方法を説明する図であり、パネル間距離に応じて連続的に押さえ部材の角度を変更する方法（図５（ａ）〜図５（ｃ））、および押さえ部材の形状（図５（ｄ））を示している。
【図６】図６は、本発明の実施形態３による取付器具を説明する図であり、取付器具の全体構成（図６（ａ））、この取付器具の押さえ部材（図６（ｂ））、この取付器具の使用方法（図６（ｃ））を示している。
【図７】図７は、本発明の実施形態３による取付器具により、隣接する太陽光パネル間の距離（パネル間距離）のばらつきを吸収する方法を説明する図であり、パネル間距離に応じて連続的に押さえ部材の角度を変更する方法（図７（ａ）、図７（ｂ））、およびこの押さえ部材の形状（図７（ｃ））を示している。
【図８】図８は、本発明の実施形態４による取付器具を説明する図であり、取付器具の全体構成を示す斜視図（図８（ａ））、取付器具の押さえ部材の上面図、側面図、正面図（図８（ｂ）、（ｃ）、（ｄ））、取付器具の使用方法の説明図（図８（ｅ））を示している。
【図９】図９は、本発明の実施形態４による取付器具により、隣接する太陽光パネル間の距離（パネル間距離）のばらつきを吸収する方法を説明する図であり、パネル間距離に応じて押さえ部材の角度を切り替える方法（図９（ａ）、図９（ｂ））、押さえ部材の形状（図９（ｃ））、および、図９（ａ）のＡ９−Ａ９線断面の構造（図９（ｄ））を示している。
【図１０】図１０は、従来の太陽光発電システムを説明する図であり、太陽光パネルを折板屋根に横向きに設置した場合（図１０（ａ））、太陽光パネルを折板屋根に縦向きに設置した場合（図１０（ｂ））、図１０（ａ）のＡ部分の具体的構造（図１０（ｃ））を示している。
【図１１】図１１は、従来の太陽光発電システムの太陽光パネルをハゼ式折板屋根に取り付ける方法を説明する平面図であり、図１０（ｂ）のＢ部分を拡大して示している。
【図１２】図１２は、従来の太陽光発電システムの太陽光パネルをハゼ式折板屋根に取り付ける取付器具を説明する図であり、取付器具の使用法（図１２（ａ））、取付器具の押さえ金具（図１２（ｂ））、取付器具のパネル載置円板（図１２（ｃ））を示している。
【図１３】図１３は、従来の太陽光パネルの設置に用いる取付金具の問題点について説明する図であり、正常な取付状態（図１３（ａ））、押さえ部材が取付金具本体に装着できない場合（図１３（ｂ）および図１３（ｃ））を示している。
【発明を実施するための形態】
【００３６】
以下、本発明の実施形態について図面を参照しながら説明する。
【００３７】
（実施形態１）
図１は、本発明の実施形態１による取付器具を説明する図であり、取付器具の全体構成（図１（ａ））、この取付器具の押さえ部材（図１（ｂ））、この取付器具のパネル載置板（図１（ｂ））、この取付器具の使用方法（図１（ｄ））を示している。図２は、この取付器具の器具本体の固定部を示す正面図（図２（ａ））、側面図（図２（ｂ））および断面図（図２（ｃ））である。
【００３８】
この実施形態１の取付器具１００は、太陽光パネルＳのフレームＳｐｆを、フレームＳｐｆを支持する支持体に取り付けるためのソーラー取付金具である。この取付器具１００は、支持体であるハゼ式折板屋根Ｒのハゼ部Ｒｃに固定される器具本体１０１を有し、器具本体１０１は支柱１３１ｂを有している。
【００３９】
取付器具１００は、器具本体１０１の支柱１３１ｂに回転可能に装着される押さえ部材１１０であって、押さえ部材１１０の回転により押さえ部材１１０が支柱１３１ｂの両側に配置されたフレームＳｐｆに跨る状態で、支柱１３１ｂの両側に配置されたフレームＳｐｆを器具本体１０１に押圧するための押さえ部材１１０を備えている。
【００４０】
ここで、器具本体１０１は、ハゼ式折板屋根Ｒのハゼ部Ｒｃに固定される固定器具１３０と、固定器具１３０に取り付けられた、太陽光パネルを載置するパネル載置板１２０とを有している。パネル載置板１２０は、固定器具１３０の上面部から突出するボルト部材１３１ａに装着されてナット１３２ａにより固定器具１３０に固定されている。パネル載置板１２０は、固定器具１３０に固定される固定部１２１と、押さえ部材１１０を装着する押さえ装着部１２２と、固定部１２１と押さえ装着部１２２とを接続する接続部１２３とを有する。固定部１２１には、ボルト部材１３１ａを挿入するボルト孔１２１ａが形成されている。押さえ装着部１２２には、押さえ部材１１０を取り付けるためのボルトを挿入する長孔１２２ａが形成されている。長孔１２２ａに挿入したボルトは、支柱１３１ｂとなる。また、支柱１３１ｂとなるボルトは、押さえ部材１１０の中央に形成されたボルト孔１１４ａに挿入され、ナット１３２ｂが支柱１３１ｂとなるボルトに装着される。
【００４１】
固定器具１３０は、図２に示すように、左右一対の挟持部材３０と、挟持部材３０の間に配設されるボルト保持部材３１を有している。ボルト保持部材３１には、ボルト部材１３１ａが保持されている。
【００４２】
左右一対の挟持部材３０およびボルト保持部材３１に横方向の通孔３５が設けられている。この通孔３５に横ボルト３３を通してナット３４で締結することにより、一対の挟持部材３０は、ハゼ式折板屋根Ｒのハゼ部Ｒｃを挟むようにしてハゼ式折板屋根Ｒ上に固定される。
【００４３】
また、押さえ部材１１０は、図３（ｄ）に示すように、長手方向に沿った長軸Ｌａｘと、長軸Ｌａｘに斜めに交差する短軸Ｓａｘとを有している。押さえ部材１１０は、押さえ部材１１０を支柱（ボルト）１３１ｂの両側のフレームＳｐｆの間隔に応じて両側のフレームＳｐｆに跨るように回転させたとき、押さえ部材１１０の一部がフレームＳｐｆの内側の受光部Ｓｐｂ１上にはみ出すことなく、押さえ部材１１０とフレームＳｐｆとが重なる領域の面積を、太陽光パネルに必要な取り付け強度が得られる程度に十分広くすることができる形状を有している。押さえ部材１１０は、平板状鋼材の打ち抜き加工により形成したものであり、亜鉛メッキなどの処理が施されている。
【００４４】
押さえ部材１１０は、図３（ｄ）に示すように、支柱１３１ｂの一方側のフレームＳｐｆを押圧する第１の部分１１０ａと、支柱１３１ｂの他方側のフレームＳｐｆを押圧する第２の部分１１０ｂとを有し、押さえ部材１１０の回転中心Ｃｒを通る複数の直線のうちの第１の直線が押さえ部材１１０の外周と交差する第１の一対の点の間の距離が、複数の直線のうちの第２の直線が押さえ部材の外周と交差する第２の一対の点の間の距離と異なる。第１の部分１１０ａおよび第２の部分１１０ｂのそれぞれにおいて、第１の一対の点のうちの一方の点を通る外周の辺と、第２の一対の点のうちの一方の点を通る外周の辺とが、互いに隣接し、かつ鈍角をなしている。
【００４５】
具体的には、この実施形態１の押さえ部材１１０は、対向する第１の辺１１１ａおよび１１１ｂと、対向する第２の辺１１２ａおよび１１２ｂと、対向する第３の辺１１３ａおよび１１３ｂとを含む六角形の形状を有している。ここで、対向する第１組の辺１１１ａおよび１１１ｂの間隔Ｗ１１、対向する第２組の辺１１２ａおよび１１２ｂの間隔Ｗ１２、対向する第３組の辺１１３ａおよび１１３ｂの間隔Ｗ１３の大小関係は、Ｗ１１＜Ｗ１２＜Ｗ１３となっている。また、押さえ部材１１０を構成する平板状部材１１１には、各辺１１１ａ、１１１ｂ、１１２ａ、１１２ｂ、１１３ａ、１１３ｂと交わる方向に沿った補強用ビートＢ１、Ｂ２、Ｂ３が形成されている。
【００４６】
なお、押さえ部材１１０の形状は、上記形状に限定されるものではなく、対向する平行な一対の辺の距離が、対向する平行な他の一対の辺の距離と異なる、その他の点対称な多角形でもよく、さらに点対称なものに限らず、隣接する太陽光パネルの間隔のばらつきをこの押さえ部材の回転により吸収することができ、その際、押さえ部材の一部がフレームの内側のパネル本体の受光部上にはみ出さないように、押さえ部材とフレームとが重なる領域の面積を、太陽光パネルの取付に必要な強度が得られる程度に十分広くすることができる形状であればよい。
【００４７】
次に、この取付器具１００を用いて太陽光パネルをハゼ式折板屋根Ｒに取り付ける方法について説明する。
【００４８】
図３は、本発明の実施形態１による取付器具により、隣接する太陽光パネル間の距離（パネル間距離）のばらつきを吸収する方法を説明する図であり、パネル間距離に応じて押さえ部材の角度を３方向に切り替える方法（図３（ａ）〜図３（ｃ））、およびこの押さえ部材の形状（図３（ｄ））を示している。
【００４９】
太陽光パネルＳを設置するハゼ式折板屋根Ｒの領域全面に渡って取付器具１００の器具本体１０１をハゼ部Ｒｃに取り付ける作業は、従来の取付金具２００の金具本体２３０をハゼ部Ｒｃに取り付ける作業と同様である。このとき、器具本体１０１の固定器具１３０には、ボルト１３１ａおよびナット１３１ｂによりパネル載置板１２０を装着しておく。なお、本実施形態１においても、器具本体１０１の取付ピッチＰｆは、従来技術で説明したとおり、例えばハゼ式折板屋根Ｒにおけるハゼ部ＲｃのピッチＰｒｃの２倍である（図１１参照）。
【００５０】
次に、太陽光パネルＳが隣接する器具本体１０１の間に位置するように、器具本体１０１のパネル載置板１２０上に太陽光パネルＳの保持フレームＳｐｆを載置する。その後、パネル載置板１２０の下側からその長孔１２２ａにボルト１３１ｂを挿入し、ボルト１３１ｂの先端を押さえ部材１１０のボルト孔１１４ａに挿入し、ボルト１３１ｂの先端にナット１３２ｂを装着する。
【００５１】
ナット１３２を締め付ける前に、押さえ部材１１０の両側に位置する太陽光パネルＳの間隔に合わせて、押さえ部材１１０を押さえ部材１１０が両側の太陽光パネルのフレームＳｐｆに跨るように回転させる。
【００５２】
例えば、太陽光パネルの離間距離ＤｐがＤ１１であり、Ｄ１１≦Ｗ１１≦（Ｄ１１＋２Ｆｗ＋２Ｓｗ）（Ｆｗはフレームの幅、Ｓｗは隙間領域の幅）であるときは、図３（ａ）に示すように、押さえ部材１１０の対向する第１組の辺１１１ａ、１１１ｂによりフレームＳｐｆが押圧されるように押さえ部材１１０の回転位置を決め、この状態でボルト１３１ｂおよび１３２ｂを締め付けて押さえ部材１１０によりフレームＳｐｆをパネル載置板１２０に固定するのが望ましい。これにより押さえ部材１１０の一部がフレームＳｐｆ内側の受光部Ｓｐｂ１上にはみ出すのを回避しつつ、フレームと押さえ部材１１０との当接部分の面積を辺１１１ａおよび１１１ｂの長さに渡って確保でき、太陽光パネルの取付に必要な押圧力でフレームＳｐｆを固定できる。
【００５３】
また、太陽光パネルＳの離間距離ＤｐがＤ１２（＞Ｄ１１）であり、Ｄ１２≦Ｗ１２≦（Ｄ１２＋２Ｆｗ＋２Ｓｗ）であるときは、図３（ｂ）に示すように、押さえ部材１１０の対向する第２組の辺１１２ａ、１１２ｂによりフレームＳｐｆが押圧されるように押さえ部材１１０の回転位置を決め、この状態でボルト１３１ｂおよび１３２ｂを締め付けて押さえ部材１１０によりフレームＳｐｆをパネル載置板１２０に固定することが望ましい。これにより押さえ部材１１０の一部がフレームＳｐｆの内側の受光部Ｓｐｂ１上にはみ出すのを回避しつつ、フレームＳｐｆと押さえ部材１１０との当接部分の面積を辺１１２ａおよび１１２ｂの長さに渡って確保でき、太陽光パネルの取り付けに必要な押圧力でフレームＳｐｆを固定できる。
【００５４】
また、太陽光パネルＳの離間距離ＤｐがＤ１３（＞Ｄ１２）であり、Ｄ１３≦Ｗ３≦（Ｄ１３＋２Ｆｗ＋２Ｓｗ）であるときは、図３（ｃ）に示すように、押さえ部材１１０の対向する第３の辺１１３ａ、１１３ｂによりフレームＳｐｆが押圧されるように押さえ部材１１０の回転位置を決め、この状態でボルト１３１ｂおよび１３２ｂを締め付けて押さえ部材１１０によりフレームＳｐｆをパネル載置板１２０に固定するのが望ましい。これにより押さえ部材１１０の一部がフレームＳｐｆ内側の受光部Ｓｐｂ１上にはみ出すのを回避しつつ、フレームと押さえ部材１１０との当接部分の面積を辺１１３ａおよび１１３ｂの長さに渡って確保でき、太陽光パネルの取付に必要な押圧力でフレームＳｐｆを固定できる。
【００５５】
このように本実施形態１では、押さえ部材１１０を、対向する第１の辺１１１ａおよび１１１ｂと、対向する第２の辺１１２ａおよび１１２ｂと、対向する第３の辺１１３ａおよび１１３ｂとからなる六角形の形状とし、対向する第１の辺１１１ａおよび１１１ｂの間隔Ｗ１１、対向する第２の辺１１２ａおよび１１２ｂの間隔Ｗ１２、対向する第３の辺１１３ａおよび１１３ｂの間隔Ｗ１３の大小関係をＷ１１＜Ｗ１２＜Ｗ１３としている。これにより取付器具１００の両側に位置する太陽光パネルＳの距離がばらついても、押さえ部材１１０の回転位置を調整して、太陽光パネルＳのフレームＳｐｆを押圧するための押さえ部材１１０の一対の辺を、対向する第１から第３のうちのいずれかの一対の辺のうちから選択して使い分けることにより、取付器具１００にて太陽光パネルの取付ピッチＰｆの誤差を吸収することができる。その結果、太陽光パネルの取付ピッチＰｆのばらつきに拘わらず、太陽光パネルＳのフレームＳｐｆを押さえ部材１１０により、太陽光パネルＳの取付に必要な十分な押圧力で、しかも押さえ部材１１０の一部が太陽光パネルＳの受光部Ｓｐｂ１の表面を遮ることなく器具本体１０１に固定することができる。
【００５６】
（実施形態２）
図４は、本発明の実施形態２による取付器具を説明する図であり、取付器具の全体構成（図４（ａ））、この取付器具の押さえ部材の一例（図４（ｂ））、この取付器具の押さえ部材の他の例（図４（ｃ））、この取付器具の使用方法（図４（ｄ））を示している。
【００５７】
この実施形態２の取付器具１００ａは、実施形態１の取付器具１００における押さえ部材１１０に代えて、この押さえ部材１１０とは外形形状の異なる押さえ部材１４０を備えたものである。
【００５８】
押さえ部材１４０は、長手方向に沿った長軸Ｌａｘと、長軸Ｌａｘに直交する短軸Ｓａｘとを有し、押さえ部材１４０を構成する板状本体１４１の中央には、パネル載置板１２０の支柱１３１ｂを挿入するためのボルト挿入孔１４１ｄが形成されている（図４（ｂ）参照）。押さえ部材１４０は、押さえ部材１４０を、パネル載置板１２０の支柱（ボルト）１３１ｂの両側のフレームの間隔に応じて両フレームに跨るように回転させたとき、押さえ部材１４０の一部がフレームＳｐｆの内側のパネル本体Ｓｐｂの受光部Ｓｐｂ１上にはみ出さないようにしつつ、押さえ部材１４０とフレームＳｐｆとが重なる領域の面積を、太陽光パネルの取付強度が得られる程度に十分広くすることができる形状を有している。押さえ部材１４０は、平板状鋼材の打ち抜き加工により形成したものであり、亜鉛メッキなどの処理が施されている。
【００５９】
押さえ部材１４０の板状本体１４１の長軸方向の端部には、板状本体１４１の一部を下側に折り曲げることによりフランジ１４０ｅおよび１４０ｆが板状本体１４１と一体に形成されている。フランジ１４０ｅおよび１４０ｆは、太陽光パネルＳのフレーム部材Ｓｐｆの側面に当接することにより、押さえ部材１４０の回転を制限する。
【００６０】
押さえ部材１４０は、押さえ部材１４０を取り付ける支柱（ボルト）１３１ｂの一方側のフレームＳｐｆを押圧する第１の部分１４０ａと、支柱１３１ｂの他方側のフレームＳｐｆを押圧する第２の部分１４０ｂとを有している。押さえ部材１４０の回転中心Ｃｒを通る複数の直線のうちの第１の直線が押さえ部材の外周と交差する第１の一対の点の間の距離が、複数の直線のうちの第２の直線が押さえ部材の外周と交差する第２の一対の点の間の距離と異なっている。第１の部分１４０ａおよび第２の部分１４０ｂのそれぞれにおいて、第１の一対の点のうちの一方の点をとおる外周の接線と、第２の一対の点のうちの一方の点をとおる外周の接線とが、互いに隣接し、かつ鈍角をなしている。
【００６１】
具体的には、この実施形態２の押さえ部材１４０は、対向する第１の直線状辺１４１ａおよび１４１ｂと、対向する第２の曲線状辺１４２ａおよび１４２ｂとからなる形状を有している。ここで、対向する第１の直線状辺１４１ａおよび１４１ｂの間隔はＷ２０である。対向する第２の曲線状辺１４２ａおよび１４２ｂ上の、回転中心Ｃｒを挟んで対向する一対の点Ｐａ１およびＰｂ１での接線の間隔はＷ２１である。対向する第２の曲線状辺１４２ａおよび１４２ｂ上の、回転中心Ｃｒを挟んで対向する一対の点Ｐａ２およびＰｂ２での接線の間隔はＷ２２である。対向する第２の曲線状辺１４２ａおよび１４２ｂ上の、回転中心Ｃｒを挟んで対向する一対の点Ｐａ３およびＰｂ３での接線の間隔はＷ２３である。ここでは、間隔Ｗ２０、Ｗ２１、Ｗ２２、Ｗ２３の大小関係は、Ｗ２０＜Ｗ２１＜Ｗ２２＜Ｗ２３となっている。
【００６２】
また、第２の曲線状辺１４２ａおよび１４２ｂの湾曲形状は、押さえ部材１４０が支柱１３１ｂに装着された状態で、フランジ１４０ｅおよび１４０ｆが太陽光パネルＳのフレーム部材Ｓｐｆの側面に当接するまで回転したとき、第２の曲線状辺１４２ａおよび１４２ｂ上の、最も太陽光パネルＳの受光部Ｓｐｂ１に近づく点が、太陽光パネルＳの受光領域Ｓｐｂ１内に入り込まないような曲線形状であることが好ましい。
【００６３】
なお、対向する直線状辺１４１ａおよび１４１ｂと、対向する曲線状辺１４２ａおよび１４２ｂとを含む押さえ部材１４０の形状は、上記のものに限定されるものではなく、隣接する太陽光パネルの間隔のばらつきを押さえ部材１４０の回転により吸収することができ、その際、押さえ部材１４０の一部がフレームの内側の受光部Ｓｐｂ１上にはみ出さないように、押さえ部材とフレームとが重なる領域の面積を太陽光パネルの取付に必要な程度に十分広くすることができる形状であればよい。
【００６４】
また、押さえ部材１４０を構成する平板部材１４１には、実施形態１の取付器具の押さえ部材１１０と同様に補強用ビートを形成してもよい。
【００６５】
図５は、本発明の実施形態２による取付器具により、隣接する太陽光パネル間の距離（パネル間距離）のばらつきを吸収する方法を説明する図であり、パネル間距離に応じて押さえ部材の回転角度を変更する方法（図５（ａ）〜図５（ｃ））、および押さえ部材の形状（図５（ｄ））を示している。
【００６６】
太陽光パネルＳを設置するハゼ式折板屋根Ｒに取付器具１００ａを取り付ける作業は、実施形態１の取付器具１００と同様であるので、太陽光パネルＳを取付器具１００ａの器具本体１３０に取り付ける作業について説明する。
【００６７】
太陽光パネルＳが隣接する器具本体１０１の固定器具１３０の間に位置するように、固定器具１３０に装着したパネル載置板１２０上に太陽光パネルＳの保持フレーム（以下単にフレームという。）Ｓｐｆを載置する。その後、パネル載置板１２０の下側からその長孔１２２ａにボルト１３１ｂを挿入し、このボルト１３１ｂの先端を押さえ部材１４０のボルト孔１４１ｄに挿入し、ボルト１３１ｂの先端にナット１３２ｂを装着する。
【００６８】
ナット１３２ｂを締め付ける前に、押さえ部材１４０をそのフランジ１４０ｅおよび１４０ｆが押さえ部材１４０の両側の太陽光パネルのフレームＳｐｆに当接するまで回転させる。これにより、押さえ部材１４０は、押さえ部材１４０が両側の太陽光パネルのフレームＳｐｆに跨るように位置決めされる。
【００６９】
この状態では、例えば、太陽光パネルの離間距離ＤｐがＤ２１であり、図５（ａ）に示すように、一対の点Ｐａ１およびＰｂ１がそれぞれ押さえ部材１４０の両側の太陽光パネルの受光部Ｓｐｂ１に最も近づく。この場合、（Ｄ２１＋２Ｆｗ）≦Ｗ２１≦（Ｄ２１＋２Ｆｗ＋２Ｓｗ）（ＦｗはフレームＳｐｆの幅、Ｓｗは隙間領域（外周領域）Ｓｐｂ２の幅）の関係が成り立つことが望ましい。
【００７０】
この状態でボルト１３１ｂにナット１３２ｂを締め付けることにより押さえ部材１４０によりフレームＳｐｆをパネル載置板１２０に固定する。これにより押さえ部材１４０の一部がフレームＳｐｆ内側の受光部Ｓｐｂ１にはみ出すのを回避しつつ、フレームと押さえ部材１４０との当接部分の面積を、太陽光パネルの取付に必要な十分な押圧力でフレームＳｐｆを固定できる程度に広くすることができる。
【００７１】
また、太陽光パネルＳの離間距離ＤｐがＤ２２（＞Ｄ２１）である場合、図５（ｂ）に示すように、一対の点Ｐａ２およびＰｂ２がそれぞれ押さえ部材１４０の両側の太陽光パネルの受光部Ｓｐｂ１に最も近づく。この場合、（Ｄ２２＋２Ｆ２）≦Ｗ２２≦（Ｄ２２＋２Ｆｗ＋２Ｓｗ）の関係が成り立つことが望ましい。この状態でボルト１３１ｂにナット１３２ｂを締め付けて押さえ部材１４０によりフレームＳｐｆをパネル載置板１２０に固定する。これにより押さえ部材１４０の一部がフレームＳｐｆ内側の受光部にはみ出すのを回避しつつ、フレームと押さえ部材１４０との当接部分の面積を、太陽光パネルの取付に必要な十分な押圧力でフレームＳｐｆを固定できる程度に確保することができる。
【００７２】
また、太陽光パネルＳの離間距離ＤｐがＤ２３（＞Ｄ２２）である場合、図５（ｃ）に示すように、一対の点Ｐａ３およびＰｂ３がそれぞれ押さえ部材１４０の両側の太陽光パネルの受光部Ｓｐｂ１に最も近づく。この場合、（Ｄ２３＋２Ｆｗ）≦Ｗ２３≦（Ｄ２３＋２Ｆｗ＋２Ｓｗ）の関係が成り立つことが望ましい。
【００７３】
この状態でボルト１３１ｂに１３２ｂを締め付けることにより押さえ部材１４０によりフレームＳｐｆをパネル載置板１２０に固定する。これにより押さえ部材１４０の一部がフレームＳｐｆの内側の受光部Ｓｐｂ１にはみ出すのを回避しつつ、フレームと押さえ部材１４０との当接部分の面積を、太陽光パネルの取付に必要な十分な押圧力でフレームＳｐｆを固定できる程度に広くすることができる。
【００７４】
なお、電動工具を使ってボルト１３１ｂにナット１３２ｂを締め付ける場合、締め付け時に電動工具の回転部分が右回転することにより、押さえ部材１４０はフランジ１４０ｅ、１４０ｆがフレームＳｐｆの側面に当接する位置まで右回転する。このため、押さえ部材１４０は、直線状辺１４１ａおよび１４１ｂがフレームと平行な姿勢から太陽光パネルＳの離間距離Ｄｐに応じた角度だけ右回転した姿勢で、ナット１３２ｂの締め付けによりパネル載置台１２０上に固定される（図５（ａ）〜図５（ｃ））。
【００７５】
このような構成の本実施形態２の取付器具１００ａでは、上記実施形態１の効果に加えて、押さえ部材１００ａの形状を、外周の少なくとも一部が曲線により定義された形状としているので、隣接する太陽光パネルの隙間のばらつきを吸収するための押さえ部材の回転角を連続的に調整することができる。
【００７６】
また、押さえ部材１４０の板状本体１４１の長手方向の両端部には、太陽光パネルＳのフレームＳｐｆの側面に当接して押さえ部材１４０の回転を制限するフランジ１４０ｅおよび１４０ｆが形成されているので、押さえ部材１４０の取付の際には、押さえ部材１４０をこのフランジ１４０ｅ、１４０ｆが太陽光パネルＳのフレームＳｐｆに当接するまで回転させることで、押さえ部材１４０の回転角を適切な位置に設定することができる。
【００７７】
なお、上記実施形態２では、押さえ部材１４０のボルト挿入孔１４１ｄは丸孔であるが、図４（ｃ）に示す押さえ部材１４４のようにボルト挿入孔１４４ｄを長孔としてもよい。この場合、器具本体１０１の支柱（ボルト）１３１ｂとその一方側に位置するフレームとの距離と、支柱（ボルト）１３１ｂとその他方側に位置するフレームとの距離とが異なるときに、この長孔１４４ｄにより押さえ部材１４４とその両側のフレームとの相対位置を調整することができる。
【００７８】
（実施形態３）
図６は、本発明の実施形態３による取付器具を説明する図であり、取付器具の全体構成（図６（ａ））、この取付器具の押さえ部材（図６（ｂ））、この取付器具の使用方法（図６（ｃ））を示している。
【００７９】
この実施形態３の取付器具１００ｂは、実施形態１の取付器具１００における押さえ部材１１０に代えて、押さえ部材１１０とは形状の異なる押さえ部材１５０を備えたものである。
【００８０】
押さえ部材１５０は、実施形態１の押さえ部材１１０と同様に、長手方向に沿った長軸Ｌａｘと、長軸Ｌａｘに直交する短軸Ｓａｘとを有し、押さえ部材１５０を構成する板状本体１５１の中央には、器具本体１０１の支柱１３１ｂを挿入するためのボルト挿入孔１５１ｄが形成されている。押さえ部材１５０は、押さえ部材１５０を器具本体１０１の支柱１３１ｂに装着した状態で、支柱１３１ｂの両側のフレームの間隔に応じて両フレームに跨るように回転させたとき、押さえ部材１５０の一部がフレームＳｐｆの内側の受光部Ｓｐｂ１にはみ出さないようにしつつ、押さえ部材１５０とフレームＳｐｆとが重なる領域の面積を太陽光パネルの取付に必要な程度に十分広くする形状を有している。押さえ部材１５０は、平板状鋼材の打ち抜き加工により形成したものであり、亜鉛メッキなどの処理が施されている。
【００８１】
また、この板状本体１５１の長軸方向の両端部には、板状本体１５１の一部を下側に折り曲げることによりフランジ部１５０ｅおよび１５０ｆが板状本体１５１と一体に形成されている。フランジ部１５０ｅおよび１５０ｆは太陽光パネルＳのフレーム部材Ｓｐｆの側面に当接することにより、押さえ部材１５０の回転を制限する。
【００８２】
押さえ部材１５０は、支柱１３１ｂの一方側のフレームＳｐｆを押圧する第１の部分１５０ａと、支柱１３１ｂの他方側のフレームＳｐｆを押圧する第２の部分１５０ｂとを有している。押さえ部材１５０の回転中心Ｃｒを通る複数の直線のうちの第１の直線が押さえ部材の外周と交差する第１の一対の点の間の距離が、複数の直線のうちの第２の直線が押さえ部材の外周と交差する第２の一対の点の間の距離と異なる。第１の部分１５０ａおよび第２の部分１５０ｂのそれぞれにおいて、第１の一対の点のうちの一方を通る外周の辺と、第２の一対の点のうちの一方を通る外周の辺とが、互いに隣接し、かつ鈍角をなしている。
【００８３】
具体的には、この実施形態３の押さえ部材１５０は、対向する第１の辺１５１ａおよび１５１ｂと、対向する第２の辺１５２ａおよび１５２ｂと、対向する第３の辺１５３ａおよび１５３ｂとを含む多角形形状を有している。ただし、この実施形態３の取付器具１００ｂの押さえ部材１５０では、対向する第３組の辺１５３ａおよび１５３ｂは、通常、つまり電動工具を用いる場合、フレームＳｐｆの固定には用いられない不使用辺である。
【００８４】
ここで、対向する第１の辺１５１ａおよび１５１ｂの間隔Ｗ３１、対向する第２の辺１５２ａおよび１５２ｂの間隔Ｗ３２、対向する第３の辺１５３ａおよび１５３ｂの間隔Ｗ３３の大小関係は、Ｗ３１＜Ｗ３２＜Ｗ３３となっている。
【００８５】
また、押さえ部材１５０を構成する板状本体１５１のボルト挿入孔１５１ｄは長孔となっている。
【００８６】
なお、押さえ部材１５０を構成する板状本体１５１には、上記実施形態１の取付器具１００の押さえ部材１１０と同様に補強用ビートを形成してもよい。
【００８７】
また、押さえ部材の外周形状は、上記形状に限定されるものではなく、対向する平行な一対の辺の距離が、対応する平行な他の一対の辺の距離と異なる、その他の点対称な多角形あるいは点対称でない多角形でもよい。
【００８８】
図７は、本発明の実施形態３による取付器具により、隣接する太陽光パネル間の距離（パネル間距離）のばらつきを吸収する方法を説明する図であり、パネル間距離に応じて押さえ部材の角度を２方向に切り替える方法（図７（ａ）〜図７（ｂ））および押さえ部材の形状（図７（ｃ））を示している。
【００８９】
太陽光パネルＳを設置するハゼ式折板屋根Ｒに取付器具１００ｂを取り付ける作業は、実施形態１の取付器具１００と同様であるので、太陽光パネルＳを取付器具１００ｂの器具本体１０１に取り付ける作業につい説明する。
【００９０】
太陽光パネルＳが隣接する器具本体１０１の間に位置するように、器具本体１０１のパネル載置板１２０上に太陽光パネルＳの保持フレームＳｐｆを載置する。その後、パネル載置板１２０の下側からその長孔１２２ａにボルト１３１ｂを挿入し、ボルト１３１ｂの先端を押さえ部材１５０のボルト孔１５１ｄに挿入し、ボルト１３１ｂの先端にナット１３２ｂを装着する。
【００９１】
ナット１３２ｂを締め付ける前に、押さえ部材１５０をそのフランジ１５０ｅおよび１５０ｆが押さえ部材１５０の両側の太陽光パネルのフレームＳｐｆに当接するまで回転させる。これにより押さえ部材１５０を押さえ部材１５０が支柱１３１ｂの両側の太陽光パネルのフレームＳｐｆに跨るように位置決めされる。
【００９２】
図７（ａ）は、例えば、太陽光パネルの離間距離ＤｐがＤ３１であり、対向する第１組の辺１５１ａおよび１５１ｂが、支柱１３１ｂの両側のフレームＳｐｆとほぼ平行となる場合を示している。この場合、（Ｄ３１＋２Ｆｗ）≦Ｗ３１≦（Ｄ３１＋２Ｆｗ＋２Ｓｗ）（Ｆｗはフレームの幅、Ｓｗは隙間領域の幅）の関係が成り立つことが望ましい。
なぜなら、この関係が満たされることにより、押さえ部材１５０の一部がフレームＳｐｆ内側の受光部Ｓｐｂ１にはみ出すのを回避しつつ、フレームと押さえ部材１５０との当接部分の面積を辺１５１ａおよび１５１ｂの長さに渡って確保できるからである。
【００９３】
この状態でボルト１３１ｂにナット１３２ｂを締め付けて押さえ部材１５０によりフレームＳｐｆをパネル載置板１２０に固定する。これにより押さえ部材１５０の一部がフレームＳｐｆ内側の受光部Ｓｐｂ１にはみ出すのを回避しつつ、フレームと押さえ部材１５０との当接部分の面積を辺１５１ａおよび１５１ｂの長さに渡って確保でき、太陽光パネルの取付に必要な十分な押圧力でフレームＳｐｆを固定できる。このとき、器具本体１０１のボルト１３１ｂとボルト１３１ｂの一方側に位置するフレームとの距離がボルト１３１ｂとボルト１３１ｂの他方側に位置するフレームとの距離と異なる場合は、パネル受平板の長孔１２２ａおよび押さえ部材１５０の長孔１５１ｄの少なくとも一方の長孔の長さの範囲で、押さえ部材とその両側のフレームとの相対位置を調整する。
【００９４】
また、図７（ｂ）は、太陽光パネルＳの離間距離ＤｐがＤ３２（＞Ｄ３１）であり、対向する第１組の辺１５１ａおよび１５１ｂが、支柱１３１ｂの両側のフレームＳｐｆとほぼ平行となる場合を示している。この場合、（Ｄ３２＋２Ｆｗ）≦Ｗ３２≦（Ｄ３２＋２Ｆｗ＋２Ｓｗ）の関係が成り立つことが好ましい。なぜなら、この関係が満たされることにより、押さえ部材１５０の一部がフレームＳｐｆ内側の受光部Ｓｐｂ１にはみ出すのを回避しつつ、フレームＳｐｆと押さえ部材１５０との当接部分の面積を辺１５２ａおよび１５２ｂの長さに渡って確保できるからである。
【００９５】
この状態でボルト１３１ｂにナット１３２ｂを締め付けることにより、押さえ部材１５０によりフレームＳｐｆをパネル載置板１２０に固定する。これにより押さえ部材１５０の一部がフレームＳｐｆ内側にはみ出すのを回避しつつ、フレームと押さえ部材１５０との当接部分の面積を辺１５２ａおよび１５２ｂの長さに渡って確保でき、太陽光パネルの取り付けに必要な十分な押圧力でフレームＳｐｆを固定できる。
【００９６】
図７（ｂ）では、器具本体１０１のボルト（支柱）１３１ｂとボルト１３１ｂの一方側に位置するフレームとの距離がボルト１３１ｂとボルト１３１ｂの他方側に位置するフレームとの距離と異なっており、押さえ部材１５０の長孔１５１ｄにより、支柱からその一方側のフレームまでの距離と、支柱からその他方側のフレームまでの距離とが異なるような太陽光パネルの設置位置のばらつきが吸収されている。
【００９７】
なお、電動工具を使ってボルト１３１ｂにナット１３２ｂを締め付ける場合、締め付け時に電動工具の回転部分が右回転することにより、押さえ部材１５０はフランジ１５０ｅ、１５０ｆがフレームＳｐｆの側面に当接する位置まで右回転する。このため、押さえ部材１５０は、少なくとも、第１組の辺１５１ａおよび１５１ｂがフレームと平行な第１の姿勢（図７（ａ））と第２組の辺１５２ａおよび１５２ｂがフレームと平行な第２の姿勢（図７（ｂ））との間で、太陽光パネルＳの離間距離Ｄｐに応じた角度だけ右回転した姿勢で、パネル載置台１２０上に固定される。
【００９８】
このように電動工具をボルト１３１ｂにナット１３２ｂを締め付ける場合は、押さえ部材１５０が左回転することはなく、押さえ部材１５０の対向する第３の辺１５３ａ、１５３ｂが、フレームＳｐｆを器具本体１０１に固定するのに用いられることはない。
【００９９】
このように本実施形態３では、実施形態１と同様に、取付器具１００ｂにて太陽光パネルのフレームの取付ピッチの誤差を吸収することができ、さらに、器具本体１０１のボルト（支柱）１３１ｂと、ボルト１３１ｂの一方側に位置するフレームとの距離が、ボルト１３１ｂとボルト１３１ｂの他方側に位置するフレームとの距離とが異なる場合は、パネル載置板の長孔１２２ａおよび押さえ部材１５０の長孔１５１ｄの少なくとも一方の長孔により押さえ部材と支柱１３１ｂの両側のフレームとの相対位置を調整することができる。
【０１００】
なお、上記実施形態では、押さえ部材の回転中心を通る複数の直線のうちの第１の直線が押さえ部材の外周と交差する第１の一対の点の間の距離と、複数の直線のうちの第２の直線が押さえ部材の外周と交差する第２の一対の点の間の距離とが異なる場合について説明しているが、第１の直線および第２の直線が交わる交点から第１の一対の点の一方までの距離と、第１の直線および第２の直線が交わる交点から第１の一対の点の他方までの距離とが、異なっていてもよく、第１の直線および第２の直線が交わる交点から第２の一対の点の一方までの距離と、第１の直線および第２の直線が交わる交点から第２の一対の点の他方までの距離とが、異なっていてもよい。
【０１０１】
また、実施形態１から実施形態３では、取付器具として、取付器具の器具本体の両側に位置する太陽光パネルを押さえ部材により器具本体に押圧することにより固定するものを示したが、取付器具は、太陽光パネルが器具本体の片側にのみ位置する場合にこの太陽光パネルのフレームを器具本体に固定するものでもよく、以下実施形態４としてこのような取付器具について説明する。
【０１０２】
（実施形態４）
図８は、本発明の実施形態４による取付器具を説明する図であり、取付器具の全体構成を示す斜視図（図８（ａ））、取付器具の押さえ部材の上面図、側面図、正面図（図８（ｂ）、（ｃ）、（ｄ））、取付器具の使用方法の説明図（図８（ｅ））を示している。
【０１０３】
この実施形態４の取付器具１００ｃは、実施形態１の取付器具１００における、取付器具１００の両側に配置されている太陽光パネルＳを器具本体１０１に固定する押さえ部材１１０に代えて、取付器具１００ｃの片側にのみ配置されている太陽光パネルＳを器具本体１０１に押圧して固定する押さえ部材１６０を備えたものである。
【０１０４】
この実施形態４の押さえ部材１６０は、図９（ｃ）に示すように、長手方向に沿った長軸Ｌａｘと、長軸Ｌａｘに直交する短軸Ｓａｘとを有する板状本体１６１と、板状本体１６１の長軸Ｌａｘの一方側の外周に沿って形成された側面部１６４とを有する。側面部１６４の高さＨｓは、太陽光パネルＳのフレームＳｐｆの厚みＴｆに相当する寸法、例えば同一寸法となっている。板状本体１６１の中央には、器具本体１０１の支柱１３１ｂとしてのボルトを挿入するためのボルト挿入孔１６１ｄが形成されている（図８（ｂ）参照）。
【０１０５】
押さえ部材１６０は、押さえ部材１６０を、器具本体１０１の支柱（ボルト）１３１ｂの一方側にのみ配置されたフレームＳｐｆと支柱１３１ｂとの間隔に応じてフレームに重なるように回転させたとき、押さえ部材１６０の一部がフレームＳｐｆの内側のパネル本体Ｓｐｂの受光部Ｓｐｂ１上にはみ出さないようにしつつ、押さえ部材１６０とフレームＳｐｆとが重なる領域の面積を、太陽光パネルの取付強度が得られる程度に十分広くする形状を有している。押さえ部材１６０は、平板状鋼材のプレス加工により形成したものであり、亜鉛メッキなどの処理が施されている。
【０１０６】
押さえ部材１６０の板状本体１６１の長軸方向の端部には、板状本体１６１の一部を下側に折り曲げることによりフランジ１６０ｅおよび１６０ｆが板状本体１６１と一体に形成されている。フランジ１６０ｅおよび１６０ｆは、太陽光パネルＳのフレーム部材Ｓｐｆの側面に当接することにより、押さえ部材１６０の回転を制限する。
【０１０７】
押さえ部材１６０を構成する板状本体１６１の長軸Ｌａｘの他方側の外周に沿った部分１６０ａは、フレームＳｐｆを押圧する押圧部分である。押さえ部材１６０の回転中心Ｃｒを通る複数の直線のうちの第１の直線が押さえ部材の外周の押圧部分１６０ａと交差する第１の点と回転中心との間の距離が、回転中心Ｃｒを通る複数の直線のうちの第２の直線が押さえ部材１６０の外周の押圧部分１６０ａと交差する第２の点と回転中心との間の距離と異なる。押圧部分１６０ａにおいて、第１の点を通る外周の辺と、第２点を通る外周の辺とが、互いに隣接し、かつ鈍角をなしている。
【０１０８】
具体的には、この実施形態４の押さえ部材１６０は、長軸に平行な第１の辺１６１ａと、第１の辺１６１ａの一端につながる第２の辺１６２ａと、第１の辺１６１ａの他方の端につながる第３の辺１６３ａとを含む。これらの第１、第２、第３の辺１６１ａ、１６２ａ、１６３ａは、板状本体１６１の長軸Ｌａｘの他方側の外周を構成している。板状本体１６１の長軸Ｌａｘの一方側の外周は、これらの第１、第２、第３の辺１６１ａ、１６２ａ、１６３ａに対向する曲線を含んでいる。
【０１０９】
ただし、この実施形態４の取付器具１００ｃの押さえ部材１６０では、第３の辺１６３ａは、フレームＳｐｆの固定には用いられない不使用辺である。
【０１１０】
ここで、辺１６１ａと、辺１６１ａに平行で回転中心Ｃｒを通る直線との間隔Ｗ４１、辺１６２ａと、辺１６２ａに平行で回転中心Ｃｒを通る直線との間隔Ｗ４２、辺１６３ａと、辺１６３ａに平行で回転中心Ｃｒを通る直線との間隔Ｗ４３の大小関係は、Ｗ４１≦Ｗ４２≦Ｗ４３となっている。
【０１１１】
なお、押さえ部材１６０を構成する板状本体１６１には、上記実施形態１の取付器具１００の押さえ部材１１０と同様に補強用ビードを形成してもよい。
【０１１２】
また、押さえ部材の板状本体の形状は、上記形状に限定されるものではなく、外周の押圧部分を構成する第１の辺と、この第１の辺と平行で回転中心を通る直線との距離が、外周の押圧部分を構成する第２の辺と、この第２の辺と平行で回転中心を通る直線との距離とが異なる、その他の形状でもよい。
【０１１３】
図９は、本発明の実施形態４による取付器具により、ハゼ式折板屋根に配列された複数の太陽光パネルのうちの端に配置された太陽光パネルの配列位置のばらつきを吸収する方法を説明する図であり、配列位置のばらつきに応じて押さえ部材の角度を２方向に切り替える方法（図９（ａ）、図９（ｂ））、押さえ部材の形状（図９（ｃ））、押さえ部材によりフレームを固定した状態（図９（ｄ））を示している。
【０１１４】
太陽光パネルＳを設置するハゼ式折板屋根Ｒに取付器具１００ｃを取り付ける作業は、実施形態１の取付器具１００と同様であるので、太陽光パネルＳを取付器具１００ｃの器具本体１０１に取り付ける作業について説明する。
【０１１５】
ハゼ式折板屋根の端では、太陽光パネルＳが隣接する器具本体１０１の間に位置するように、器具本体１０１上に太陽光パネルＳの保持フレームＳｐｆを載置すると、ハゼ式折板屋根の端に位置する器具本体１０１上には、その片側にのみフレームＳｐｆが配置される。
【０１１６】
その後、器具本体１０１のパネル載置板１２０の下側からその長孔１２２ａにボルト１３１ｂを挿入し、ボルト１３１ｂの先端を押さえ部材１６０のボルト孔１６１ｄに挿入し、ボルト１３１ｂの先端にナット１３２ｂを装着する。
【０１１７】
ナット１３２ｂを締め付ける前に、押さえ部材１６０をそのフランジ１６０ｅおよび１６０ｆのうちの一方１６０ｅが器具本体１０１上の太陽光パネルのフレームＳｐｆに当接するまで回転させる。これにより押さえ部材１６０が、押さえ部材１６０と支柱１３１ｂの片側の太陽光パネルのフレームＳｐｆとが重なるように位置決めされる。
【０１１８】
図９（ａ）は、例えば、太陽光パネルＳから押さえ部材１６０の回転中心ＣｒまでのＤｐがＤ４１であり、第１の辺１６１ａが太陽光パネルＳのフレームＳｐｆとほぼ平行となる場合を示している。この場合、（Ｄ４１＋Ｆｗ）≦Ｗ４１≦（Ｄ４１＋Ｆｗ＋Ｓｗ）（ＦｗはフレームＳｐｆの幅、Ｓｗは隙間領域Ｓｐｂ２の幅）の関係が成り立つことが望ましい。
【０１１９】
なぜなら、この関係が満たされることにより、押さえ部材１６０の一部がフレームＳｐｆ内側の受光部Ｓｐｂ１にはみ出すのを回避しつつ、フレームＳｐｆと押さえ部材１６０との当接部分の面積を辺１６１ａの長さに渡って確保できるからである。
【０１２０】
この状態でボルト１３１ｂにナット１３２ｂを締め付けることにより押さえ部材１６０によりフレームＳｐｆを器具本体１０１のパネル載置板１２０に固定する。これにより押さえ部材１６０の一部がフレームＳｐｆ内側の受光部Ｓｐｂ１にはみ出すのを回避しつつ、フレームと押さえ部材１６０との当接部分の面積を辺１６１ａの長さに渡って確保でき、太陽光パネルの取付に必要な十分な押圧力でフレームＳｐｆを固定できる。
【０１２１】
また、図９（ｂ）は、例えば、太陽光パネルＳから押さえ部材１６０の回転中心ＣｒまでのＤｐがＤ４２（＞Ｄ４１）であり、第２の辺１６２ａが太陽光パネルＳのフレームＳｐｆとほぼ平行となる場合を示している。
【０１２２】
この場合、（Ｄ４２＋Ｆｗ）≦Ｗ４２≦（Ｄ４２＋Ｆｗ＋Ｓｗ）の関係が成り立つことが好ましい。なぜなら、この関係が満たされることにより、押さえ部材１６０の一部がフレームＳｐｆ内側の受光部Ｓｐｂ１にはみ出すのを回避しつつ、フレームＳｐｆと押さえ部材１６０との当接部分の面積を辺１６２ａの長さに渡って確保できるからである。
【０１２３】
この状態でボルト１３１ｂにナット１３２ｂを締め付けることにより、押さえ部材１６０によりフレームＳｐｆを器具本体１０１のパネル載置板１２０に固定する。これにより押さえ部材１６０の一部がフレームＳｐｆ内側にはみ出すのを回避しつつ、フレームと押さえ部材１６０との当接部分の面積を辺１６２ａの長さに渡って確保でき、太陽光パネルの取り付けに必要な十分な押圧力でフレームＳｐｆを固定できる。
【０１２４】
なお、電動工具を使ってボルト１３１ｂにナット１３２ｂを締め付ける場合、締め付け時に電動工具の回転部分が右回転することにより、押さえ部材１６０はフランジ１６０ｅがフレームＳｐｆの側面に当接する位置まで右回転する。このため、押さえ部材１６０は、少なくとも、第１の辺１６１ａがフレームと平行な第１の姿勢（図９（ａ））と第２の辺１６２ａがフレームと平行な第２の姿勢（図９（ｂ））との間で、太陽光パネルＳから押さえ部材１６０の回転中心Ｃｒまでの距離に応じた角度だけ右回転した姿勢で、器具本体１０１のパネル載置台１２０上に固定される。
【０１２５】
このように電動工具をボルト１３１ｂにナット１３２ｂを締め付ける場合は、押さえ部材１６０が左回転することはなく、押さえ部材１６０の対向する第３の辺１６３が、フレームＳｐｆをパネル載置板１２０に固定するのに用いられることはない。
【０１２６】
このように本実施形態４では、実施形態１と同様に、複数の太陽光パネルのうちの端に位置する太陽光パネルの配列誤差を、押さえ部材１６０の回転中心の片側の太陽光パネルのみを固定する取付器具１００ｃにて吸収することができる。
【０１２７】
なお、前記実施形態４のボルト挿入孔は長孔であってもよい。
【０１２８】
また、上記各実施形態では、押さえ部材の外周形状は、隣接する太陽光パネルの間隔のばらつきをこの押さえ部材の回転により吸収することができ、その際、押さえ部材の一部をフレームの内側の受光部にはみ出さないように、押さえ部材と該フレームとが重なる領域の面積を太陽光パネルの取付に必要な程度に十分広くすることができる形状であればよいものとしているが、押さえ部材の外周形状は、押さえ部材の一部がフレームの内側のパネル本体の受光部上にできるだけはみ出さないようにして、押さえ部材とフレームとが重なる領域の面積を、太陽光パネルの取付に必要な強度が得られる程度に十分広くできる形状であればよい。つまり、本発明の本質は、押さえ部材が、隣接する太陽光パネルの間隔のばらつきをこの押さえ部材の回転により吸収することができるものである点にある。
【０１２９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１３０】
本発明は、取付器具の分野において、隣接する太陽光パネルのフレーム部分を、隣接する太陽光パネル間の支柱に取り付けた押さえ部材により押圧固定する取付器具として、隣接する太陽光パネルの間隔のばらつきを押さえ部材の回転により、この押さえ部材が太陽光パネルの受光面を遮るのを回避しつつ吸収し、十分な押さえ力でフレームを押圧することができる取付器具を実現することができる。
【符号の説明】
【０１３１】
３０  挟持部材
３１  ボルト保持部材
３５  通孔
３３  横ボルト
３４  ナット
１００、１００ａ、１００ｂ、１００ｃ  取付器具
１０１  器具本体
１１０、１４０、１５０、１６０  押さえ部材
１１０ａ、１４０ａ、１５０ａ  第１の部分
１１０ｂ、１４０ｂ、１５０ｂ  第２の部分
１１１ａ、１１１ｂ  第１組の辺
１１２ａ、１１２ｂ  第２組の辺
１１３ａ、１１３ｂ  第３組の辺
１１４ａ  ボルト孔
１２０  パネル載置板
１２１  固定部
１２１ａ  ボルト孔
１２２  押さえ装着部
１２２ａ  長孔
１２３  接続部
１３０  固定器具
１３１ａ  ボルト部材
１３１ｂ  ボルト（支柱）
１３２ａ  ナット
１４０ｅ、１４０ｆ、１５０ｅ、１５０ｆ、１６０ｅ、１６０ｆ  フランジ部
１４１  板状本体
１４１ａ、１４１ｂ  第１組の直線状辺
１４２ａ、１４２ｂ  第２組の曲線状辺
１５１、１６１  板状本体
１５１ｄ  ボルト孔
１６１ａ  第１の辺
１６２ａ  第２の辺
１６３ａ  第３の辺
Ｂ１〜Ｂ３  補強用ビート
Ｃｒ  回転中心
Ｄｐ、Ｄ２１〜Ｄ２３、Ｄ３１〜Ｄ３３  太陽光パネルの離間距離
Ｌａｘ  長軸
Ｒ  ハゼ式折板屋根
Ｒｃ  ハゼ部
Ｓ  太陽光パネル
Ｓａｘ  短軸
Ｓｐｂ  パネル本体
Ｓｐｂ１  受光部
Ｓｐｂ２  隙間領域（外周領域）
Ｗ１１〜Ｗ１３、Ｗ２１〜Ｗ２３、Ｗ３１〜Ｗ３３、Ｗ４１〜Ｗ４３  間隔
【図１】
2014202020.tif 000003
【図２】
2014202020.tif 000004
【図３】
2014202020.tif 000005
【図４】
2014202020.tif 000006
【図５】
2014202020.tif 000007
【図６】
2014202020.tif 000008
【図７】
2014202020.tif 000009
【図８】
2014202020.tif 000010
【図９】
2014202020.tif 000011
【図１０】
2014202020.tif 000012
【図１１】
2014202020.tif 000013
【図１２】
2014202020.tif 000014
【図１３】
2014202020.tif 000015